【事件の表示】
　特願２００６−　８７８４８「眼鏡」拒絶査定不服審判事件〔平成１９年１０月１１日出願公開、特開２００７−２６４２０７〕について、次のとおり審決する。
【結　論】
　本件審判の請求は、成り立たない。
【理　由】
第１　手続の経緯
　本願は、平成１８年（２００６年）３月２８日に出願した特願２００６−８７８４８号であって、平成２０年１月４日付けで拒絶査定がなされ、これに対して、同年２月７日に拒絶査定不服審判の請求がなされ、同年３月１０日付けで手続補正がなされたものである。
　その後、平成２１年４月３０日付けで当審において平成２０年３月１０日付けの手続補正を却下し、同日付けで拒絶理由の通知をし、これに対して同年７月３日付けで意見書が提出され、同日付けで手続補正がなされた。
　
 第２　本願発明  
　本願の請求項１に係る発明（以下、「本願発明」という。）は、平成２１年７月３日付け手続補正により補正された特許請求の範囲の請求項１に記載された事項に特定される次のとおりのものである。
　
「左右のレンズ部を保持するレンズ支持部を備える眼鏡本体と、テンプル部と、テンプル部の先端に設けられるモダン部と、このモダン部に着脱可能に連結され、眼鏡の前後方向及び左右方向での重心バランスを調整するバランスウェイト部材とを備えた眼鏡であって、
　上記バランスウェイト部材は、上記モダン部の後方先端につながるバランスウェイト部材本体と、このバランスウェイト部材本体から上記モダン部側に向かって突出し、矩形、楕円形、多角形のいずれかの形状の断面を有する凸状部とを有し、これらバランスウェイト部材本体および凸状部が磁石により構成されるとともに、左右のバランスウェイト部材の重さが上記レンズ部の重さと同等に設定され、
　上記モダン部は、上記凸状部と嵌合可能な矩形、楕円形、多角形のいずれかの断面形状をもつ凹状部を有するように合成樹脂により形成され、この凹状部の底部に上記凸状部と磁力で互いに引き合う金属部もしくは磁石部が設けられ、この磁力により、左右のバランスウェイト部材が各モダン部に対して着脱可能に連結されることを特徴とする眼鏡。」
　
第３　引用例
１　引用例１
　当審で通知した拒絶の理由に引用され、本願の出願前に頒布された刊行物である登録実用新案第３１１２０１６号公報（以下、「引用例１」という）には、次の事項が記載されている。（後述の「引用例１に記載された発明の認定」において発明の認定に直接関係する記載に下線を付した。）
　
「【考案を実施するための最良の形態】 
 　【００１２】 
 　以下、本考案を実施するための最良の形態を図に基いて説明する。 
 　図１〜図５は本考案にかかる
眼鏡枠のモダン
 　【００１３】 
 　モダン本体２は、プラスチック樹脂によって細長く形成されていて、先端部２ａ側からテンプル６が差し込まれている。モダン本体２の後端２ｂは平坦に形成してあり、かつモダン本体２の後端部２ｃである後端２ｂから内側に、係止部材３（係止部）を嵌着する嵌合凹部７が形成してある。嵌合凹部７は、奥側に幅広凹部７ａを有している。 
 　【００１４】 
 　上記の嵌合凹部７に嵌着する係止部材３は、モダン本体２の後端部２ｃ内に収納できるように、プラスチック樹脂によって幅の狭い略直方体形状に形成され、かつ先端側に上記の幅広凹部７ａに係止する鍔部８を形成するとともに、中央に雌ネジ９を形成したものである。 
 　【００１５】 
 　錘部材４は、所定の重さを有する金属製またはプラスチック樹脂製のものであって、中央に貫通孔１０を形成してあり、係止部材３と鍔部８以外の横断面と同一の直方体形状のものである。さらにこの錘部材４は、モダン本体２の嵌合凹部７に嵌着した係止部材３の後端３ａからモダン本体２の後端２ｂまでの隙間内に収納される大きさに形成してある。錘部材４は、所定の重さのもの、或いは段階的に僅かに重さの異なる複数のものを揃えておく。
 　【００１６】 
 　モダン後部５は、プラスチック樹脂製のものであって、先端部５ａを平坦にし後部５ｂを円く形成した半楕円形状であり、先端部５ａの中央に、上記錘部材４の貫通孔１０に挿入して、モダン本体２に設けられた係止部材３の雌ネジ９にネジ付けできる雄ネジ軸１１を有している。このモダン後部５は、モダン本体２に取り付けた際に、モダン本体２の後端２ｂに先端部５ａを密着するとともに、先端部５ａ寄りの外周面１２がモダン本体２の後端部２ｃの外周面１３と面一になるように形成してある。 
 　【００１７】 
 　上記のような構成からなるモダン１のモダン本体２をテンプル６に設けた眼鏡枠にあっては、眼鏡店において、顧客の目に合った度数のレンズを眼鏡枠に装着した後に、眼鏡枠の前部のパッドの部分を顧客の鼻に掛けるとともに、モダン本体２と錘部材４およびモダン後部５からなる上記したモダン１を耳に掛ける。 
 　【００１８】 
 　そして、顧客に眼鏡を掛けた時の鼻と耳に掛かる負荷の状態（眼鏡の掛け具合）を聞き、レンズ側（鼻側）が重く感じるようであれば、一旦眼鏡を外し、モダン本体２から錘部材４とモダン後部５を外し、他の重さの錘部材４と交換して、この錘部材４をモダン本体２にモダン後部５によって取り付ける。錘部材４を交換して眼鏡のレンズ側（鼻側）とモダン1側（耳側）との重さバランスを変更したら、再びこの眼鏡を顧客の顔に掛けて上記した眼鏡の掛け具合を聞く。この交換した錘部材４の重さでレンズ側（鼻側）とモダン1側（耳側）とのバランスがよければ、眼鏡のバランス調整を完了して眼鏡を顧客に渡せばよい。また、まだバランスが悪ければ、再び他の重さの錘部材４に交換してバランス良くなるまで錘部材４に交換を繰り返せばよい。 
 　【００１９】 
 　このように上記した本考案にかかるモダン１によれば、バランス調整に最適な重さの錘部材４を選定してバランス調整すれば、眼鏡枠のテンプルを屈曲させたりしてバランス調整することなく、また高度な調整技術を要求されることもない。またテンプルは、繰り返し折り曲げ調整によって損なわれるといったこともない。 
 　【００２０】 
 　次に図４、図５は本考案にかかる他の例のモダン１を示す。なお、図中符合は便宜上、上記した例と同じ符合を使用する。この例における
モダン１は、モダン本体２と、所定の重さのモダン後部５、または重さの異なる複数のモダン後部５（図は１つだけ示す。）とからなる。
 　【００２１】 
 　このモダン本体２は、先の例と同様にプラスチック樹脂によって細長く形成され、先端部２ａ側から眼鏡枠のテンプル６が差し込まれて、このテンプル６に取り付けられる。モダン本体２の後端２ｂは平坦に形成してあり、かつモダン本体２の後端部２ｃである後端２ｂから内側に、モダン後部５の係止突起１４（係止部）を着脱可能に係止するフック状の２つの係止孔１５（係止部）が所定間隔をもって形成してある。
 　【００２２】 
 　
モダン後部５は、プラスチック樹脂によって形成したもの、或いは内部に金属片（図示せず）を設けて全体を樹脂成形したものであって、先端部５ａを平坦にし後部５ｂを円く形成してあり、先端部５ａ側に、モダン本体２の係止孔１５に着脱可能に係止する２つの係止突起１４を有している。 
 　【００２３】 
 　上記のような構成からなるモダン１のモダン本体２を、テンプル６の後部に設けた眼鏡枠にあっては、先の例と同様に眼鏡店において、顧客の目に合った度数のレンズを眼鏡枠に装着した後に、眼鏡枠の前部のパッドの部分を顧客の鼻に掛けるとともに、モダン本体２とモダン後部５からなる上記したモダン１を耳に引っ掛ける。 
 　【００２４】 
 　そして、上記した説明と同じように顧客に、眼鏡を掛けた時の鼻と耳に掛かる負荷の状態（眼鏡の掛け具合）を聞き、レンズ側（鼻側）が重く感じるようであれば、一旦眼鏡を外し、モダン本体２からモダン後部５を外し、他の重さのモダン後部５と交換して、このモダン後部５をモダン本体２に取り付ける。モダン後部５を交換して眼鏡のレンズ側（鼻側）とモダン1側（耳側）との重さバランスを変更したら、再びこの眼鏡を顧客の顔に掛けて上記した眼鏡の掛け具合を聞く。この交換したモダン後部５の重さでレンズ側（鼻側）とモダン1側（耳側）とのバランスがよければ、この眼鏡のバランス調整を完了して眼鏡を顧客に渡せばよい。もし、まだバランスが悪ければ、再び他の重さのモダン後部５に交換してバランス良くなるまで、モダン後部５を交換すればよい。 
 　【００２５】 
 　この例の本考案にかかるモダン１でも、眼鏡枠のテンプルを屈曲させて調整することなく、
重さの異なるモダン後部５を交換するだけで、レンズ側（鼻側）とモダン1側（耳側）とでバランスを調整することができ
　
２　引用例１に記載された発明の認定
　上記記載事項を総合勘案すると、引用例１には、
「モダン本体２と、所定の重さのモダン後部５、または重さの異なる複数のモダン後部５とからなる眼鏡枠のモダン１を有する眼鏡であって、
　モダン本体２は、プラスチック樹脂によって細長く形成され、先端部２ａ側から眼鏡枠のテンプル６が差し込まれて、このテンプル６に取り付けられ、モダン本体２の後端２ｂは平坦に形成してあり、かつモダン本体２の後端部２ｃである後端２ｂから内側に、モダン後部５の係止突起１４（係止部）を着脱可能に係止するフック状の２つの係止孔１５（係止部）が所定間隔をもって形成してあり、
　モダン後部５は、先端部５ａを平坦にし後部５ｂを円く形成してあり、先端部５ａ側に、モダン本体２の係止孔１５に着脱可能に係止する２つの係止突起１４を有しており、
　重さの異なるモダン後部５を交換するだけで、レンズ側（鼻側）とモダン1側（耳側）とでバランスを調整することができる眼鏡。」の発明（以下、「引用発明」という。）が記載されている。
　
３　引用例２の記載事項
　当審で通知した拒絶の理由に引用され、本願の出願前に頒布された刊行物である特開２００５−２５７７５９号公報（以下、「引用例２」という）には、次の事項が記載されている。
　
「【０００１】 
 　本発明は、フレームのブリッジ部に対し左右の各レンズ部が、
適宜、交換可能
 　 
 「【００２５】 
 　以下、添付図面を参照して、本発明の好適な実施例に係る眼鏡について説明する。なお、眼鏡の構成は左右対称であるため、以下では、左側の部品を中心に説明し、右側の部品については説明を適宜省略している。 
 【実施例１】 
 　【００２６】 
 　図１および図２に示すように、
眼鏡１は、フレーム２と、フレーム２に対し着脱可能に装着した左右一対のレンズ部３，３と、で左右対称に構成されている。
 　【００２７】 
 　ブリッジ部６は、左右のブローバー部５，５に一体に連なる本体ブリッジ１１と、左右のレンズ部３，３をそれぞれ着脱可能に保持するひと続きのレンズ保持部材１２と、で構成されている。レンズ保持部材１２は、筒状（パイプ状）の部材からなり、本体ブリッジ１１に沿ってこれの正面側に設けられている。すなわち、本体ブリッジ１１を挟んだ前後には、レンズ保持部材１２と鼻当てパッド８とが位置している。レンズ保持部材１２は、本体ブリッジ１１と一体成型され或いは本体ブリッジ１１に溶着されることで設けられ、本体ブリッジ１１を補強する機能をも有している。 
 　【００２８】 
 　左右の各レンズ部３，３は、レンズ本体２１と、レンズ本体２１のブリッジ部６側に設けたレンズ取付部２２と、で構成されている。レンズ本体２１の上端面は、ブローバー部５の形状と相補的な形状をなしている。また、レンズ本体２１の厚みや種別に関らず、レンズ部３をフレーム２に対し装着することができるようになっている。すなわち、実施例１では、フレーム２は、比較的薄い度無しのレンズ本体２１が装着された場合には、レンズ本体２１とブローバー部５との間にある程度の隙間Ｃ（図１参照）が形成されるように設計されており、比較的厚い度有りのレンズ本体２１が装着された場合には、レンズ本体２１とブローバー部５との間の隙間Ｃが狭まるように設計されている。 
 　【００２９】 
 　図３に示すように、レンズ保持部材１２の略円筒状の中空内部は、水平方向の左右に延在しており、その中間部に円柱状の磁石３１が配設されると共に左右の両外端部が開放した凹部３２となっている。すなわち、レンズ保持部材１２の両端内部がそれぞれ凹部３２となり、
単一の磁石３１が、各凹部３２の底部を構成するようにしてレンズ保持部材１２に埋め込まれている。
 【００３０】 
 　一方、レンズ取付部２２は、凹部３２に係脱可能に挿入する凸部４１と、凸部４１をレンズ本体２１に固定する固定部４２と、で構成されている。固定部４２は、凸部４１の基部側から連なり、レンズ本体２１の中央側へと略Ｌ字状に屈曲して延びるＬ字部４３のほか、Ｌ字部４３の端部をレンズ本体２１に固定するねじ等の締結手段４４を有している。 
 　【００３１】 
 　このような固定部４２の構造を採用することで、既製品のレンズ本体２１に対しても、穿設等の簡単なレンズ加工作業により、フレーム２に対応するレンズ部３を簡単に提供することができる。例えば、レンズ本体２１のブリッジ部６側に貫通孔を穿設し、ボルトおよびナット等からなる締結手段４４により、この貫通孔を介して凸部４１をレンズ本体２１に固定すればよい。 
 　【００３２】 
 　また、Ｌ字部４３の凸部４１側の端面は、凸部４１を凹部３２に係合させた際に、装着位置を規制する受け（ストッパ）として機能する。なお、凸部４１の先端面が磁石３１の端面に当接するようにして、磁石３１の端面をストッパとして機能させてもよい。 
 　【００３３】 
 　凸部４１は、凹部３２に対応して略円柱状に形成され、水平方向に延在している。このため、凸部４１と凹部３２との係脱は、図中で示す矢印方向に、レンズ部３を水平方向に移動させて行うことができる。凸部４１は、磁石３１によって吸着される磁性体材料で構成されている。磁性体材料としては、例えば、鉄、フェライト系ステンレス鋼、マルテンサイト系ステンレス鋼など各種金属、合金等が挙げられる。この場合、凸部４１およびＬ字部４３の全体が、磁性体材料で一体に形成された磁性体部となっている。 
 　【００３４】 
 　そして、
磁石３１と磁性体材料からなる凸部４１とにより、凸部４１を凹部３２にマグネット吸着させる吸着保持手段５１が構成されている。
 　 
 「【００３９】 
 　次に、本発明の他の実施例に係る眼鏡１について図面を参照して説明する。なお、実施例２から実施例６では、実施例１との相違点である回止め手段５２を中心に説明する。また、実施例１における変形例（例えば、吸着保持手段５１など）についても、他の実施例において構造上可能であれば適用することができるが、その説明は省略する。 
 【実施例２】 
 　【００４０】 
 　図４に示すように、本実施例では、
レンズ部３の凸部４１は、四角柱に形成されて水平方向に延在している。また、ブリッジ部６のレンズ保持部材１２（凹部３２）は、穴の形状が凸部４１に対応して四角形に形成されている。
なお、四角形に限らず、五角形などの多角形でも同様であることは、いうまでもない。
 【実施例３】 
 　【００４１】 
 　図５に示すように、
レンズ部３の凸部４１は、断面長円形に形成されて水平方向に延在している。また、レンズ保持部材１２（凹部３２）は、穴の形状が凸部４１に対応して長円形に形成されている。このため、磁石３１も断面長円形に形成されている。
　
４　引用例３の記載事項
　当審で通知した拒絶の理由に引用され、本願の出願前に頒布された刊行物である登録実用新案第３０１９９９９号公報（以下、「引用例３」という）には、次の事項が記載されている。
　
「【０００６】 
 　【課題を解決するための手段】 
 　本考案の組立式メガネフレームは該フレームを構成する部材を組み合わせることによって作られる。ここで組み合わせ形態は特に限定しないが、連結部には強力な磁石が用いられる。そして単に磁石による磁気力だけでなく、連結部の一方には凹部を有し、他方には凸部を形成している。従って、凸部は凹部に嵌合した状態で上記磁石によって固定される。」 
　
５　引用例４の記載事項
　当審で通知した拒絶の理由に引用され、本願の出願前に頒布された刊行物である特開平１−１３６１１４号公報（以下、「引用例４」という）には、次の事項が記載されている。
　
「本発明は、耳の後方にマグネットを設け、このマグネットの錘によりメガネの重心を耳より後に移し、メガネが鼻部を圧迫して神経にストレスを与えたり、お化粧はげをつくることを防ぐのみならず、その重錘としたマグネットにより後頭部血管にフレミング右手の法則により血流を促進せしめ頭脳の働きを良くするメガネに関する発明である。 
 　第１図は本発明実施例を示し、レンズｌをはめたメガネフレーム２に取付けたつる３の先端部に、フェライトを扁平円筒形に成型したもの又は永久磁石４を設けたものであり、つる３と耳５との接点６から前方の重心７までの距離をＬ１、重心７の重さＷ１、接点６から後方の重心８までの距離をＬ２、重心８の重さをＷ２とすると、 
 　Ｗ１×Ｌ１＝Ｗ２×Ｌ２　 
 として前後が等モーメントとされている。　 
 　これによりメガネのレンズ間のブリッヂが鼻をおさえて荷重がからず、又鼻から浮くので鼻付近の神経を圧迫したり、頭痛が生じることがなく、又、鼻に跡がついたり、化粧がはがれることがない。 
 　マグネット４は、つるや他のメガネ材料よりも比重が大きいので重錘として小型で有効である。 
 　このようにマグネット４は、鼻にメガネの荷重を欠けぬ重錘となると共に、その磁力が頸部に作用して血行を促進し、凝りをなくするという二重の効果を本発明は狙ったものである。」（第１ページ左下欄第７行〜同ページ右下欄第１７行） 
　
第３　本願発明と引用例１に記載の発明との対比
（１）対比
　本願発明と引用発明とを対比する。
　
　引用発明の「眼鏡枠」は、当然に、「左右のレンズ部を保持するレンズ支持部」を備えるものであるから、引用発明の「眼鏡枠」が、本願発明の「左右のレンズ部を保持するレンズ支持部を備える眼鏡本体」に相当する。
　
　引用発明の「テンプル６」は、本願発明の「テンプル部」に相当する。
　
　引用発明の「モダン本体２」は、プラスチック樹脂によって細長く形成され、先端部２ａ側から眼鏡枠のテンプル６が差し込まれて、このテンプル６に取り付けられるものであるから、本願発明の「テンプル部の先端に設けられるモダン部」に相当する。
　
　引用発明の「モダン後部５」は、モダン本体２の後端部２ｃに着脱可能に係止されるものであるから「モダン部に連結され」るものであり、また、重さの異なるモダン後部５を交換するだけで、レンズ側（鼻側）とモダン1側（耳側）とでバランスを調整することができるものであるから「前後方向」に「重心バランスを調整する」ものであるということができ、さらに、当然に、左右の両方のモダン本体の後端部に取り付けられることが想定されていて、「左右方向」にも「重心バランスを調整する」ものであるということができるから、引用発明の「モダン部５」は、本願発明の「モダン部に着脱可能に連結され、眼鏡の前後方向及び左右方向での重心バランスを調整するバランスウェイト部材」に相当する。
　
　上記の相当関係を勘案すると引用発明と本願発明とは次の点で一致する。
　引用発明の「モダン後部５は、先端部５ａを平坦にし後部５ｂを円く形成してあり、先端部５ａ側に、モダン本体２の係止孔１５に着脱可能に係止する２つの係止突起１４を有して」いることと、本願発明の「上記バランスウェイト部材は、上記モダン部の後方先端につながるバランスウェイト部材本体と、このバランスウェイト部材本体から上記モダン部側に向かって突出し、矩形、楕円形、多角形のいずれかの形状の断面を有する凸状部とを有し、これらバランスウェイト部材本体および凸状部が磁石により構成される」こととは、「バランスウェイト部材は、モダン部の後方先端につながるバランスウェイト部材本体と、このバランスウェイト部材本体から上記モダン部側に向かって突出する凸状部とを有し」ていることで一致する。
　
　引用発明の「重さの異なるモダン後部５を交換するだけで、レンズ側（鼻側）とモダン1側（耳側）とでバランスを調整することができる」ことと、本願発明の「左右のバランスウェイト部材の重さが上記レンズ部の重さと同等に設定され」ることとは、「左右のバランスウェイト部材の重さがレンズ部の重さとのバランスを調整するように設定され」ることで一致する。
　
　引用発明の「係止突起１４」及び「係止孔１５」は、それぞれ、本願発明の「凸状部」及び「凹状部」に相当するといえるから、引用発明の「モダン本体２は、プラスチック樹脂によって細長く形成され、先端部２ａ側から眼鏡枠のテンプル６が差し込まれて、このテンプル６に取り付けられ、モダン本体２の後端２ｂは平坦に形成してあり、かつモダン本体２の後端部２ｃである後端２ｂから内側に、モダン後部５の係止突起１４（係止部）を着脱可能に係止するフック状の２つの係止孔１５（係止部）が所定間隔をもって形成してあ」ることと、本願発明の「上記モダン部は、上記凸状部と嵌合可能な矩形、楕円形、多角形のいずれかの断面形状をもつ凹状部を有するように合成樹脂により形成され、この凹状部の底部に上記凸状部と磁力で互いに引き合う金属部もしくは磁石部が設けられ、この磁力により、左右のバランスウェイト部材が各モダン部に対して着脱可能に連結される」こととは、「モダン部は、凸状部と嵌合可能な凹状部を有するように合成樹脂により形成され、この凹状部と上記凸状部とが嵌合するとともに、左右のバランスウェイト部材が各モダン部に対して着脱可能に連結される」ことで一致する。
　
（２）一致点
　よって、本願発明と引用発明は、
「左右のレンズ部を保持するレンズ支持部を備える眼鏡本体と、テンプル部と、テンプル部の先端に設けられるモダン部と、このモダン部に着脱可能に連結され、眼鏡の前後方向及び左右方向での重心バランスを調整するバランスウェイト部材とを備えた眼鏡であって、
　上記バランスウェイト部材は、上記モダン部の後方先端につながるバランスウェイト部材本体と、このバランスウェイト部材本体から上記モダン部側に向かって突出する凸状部とを有し、左右のバランスウェイト部材の重さが上記レンズ部の重さとのバランスを調整するように設定され、
　上記モダン部は、上記凸状部と嵌合可能な凹状部を有するように合成樹脂により形成され、この凹状部と上記凸状部とが嵌合して、左右のバランスウェイト部材が各モダン部に対して着脱可能に連結される眼鏡。」の発明である点で一致し、次の各点で相違する。
　
（３）相違点
ア　相違点１； 
 　本願発明においては、バランスウェイト部材本体および凸状部が磁石により構成され、モダン部の凹状部の底部に上記凸状部と磁力で互いに引き合う金属部もしくは磁石部が設けられ、この磁力により、左右のバランスウェイト部材が各モダン部に対して着脱可能に連結されるのに対して、引用発明にはそのような限定がない点。 
 　 
 イ　相違点２； 
 　左右のバランスウェイト部材の重さがレンズ部の重さとのバランスを調整するように設定するにあたり、本願発明においては、バランスウエイト部材の重さをレンズ部の重さと同等に設定されているのに対して、引用発明にはその点の特定がない点。
 　 
 ウ　相違点３； 
 　嵌合部の凹状部及び凸状部の形状に関して、本願発明においては、凸状部は、矩形、楕円形、多角形のいずれかの形状の断面を有し、凹状部は、上記凸状部に嵌合可能な矩形、楕円形、多角形のいずれかの断面形状をもつとされているのに対して、引用発明にはその点の特定がない点。
 　 
 第４　当審の判断 
 １　上記各相違点について検討する。 
（１）相違点１について； 
 　眼鏡フレームにおいて、２つの部材の着脱可能な結合を、凹凸部の嵌合及び磁石の磁力によって行うことは、引用例２及び引用例３にも記載されているように周知の技術である（引用例２は特に下線部参照）。 
 　バランスウェイト部材のモダン部の端部への連結の手段として、上記周知技術を採用し、凹状部及び凸状部の嵌合及び磁石の磁力によって、バランスウェイト部材をモダン部の端部へ連結する構造とすることは当業者が容易に想到し得ることである。そして、凹状部及び凸状部の嵌合及び磁石の磁力による連結構造を採用するにあたり、凹状部及び凸状部をそれぞれどちら側に設けるかという選択や、磁石を配置する位置については当業者が必要に応じて適宜設定し得る事項に過ぎない。
　また、バランスウェイト部材自体を磁石とすることについても、引用例４に記載されているように周知の技術である。
　以上を勘案すれば、引用発明においても、バランスウェイト部材とモダン部の連結構造に関して、上記相違点１に係る本願発明の発明特定事項を得ることは、当業者が容易に想到し得たことであるといえる。 
 　 
（２）相違点２について； 
 　バランスウェイトの重さを調整するに際し、顧客の掛け具合に応じてバランスウェイト部材の重さを調整することは引用例１にも記載されている（【００１７】【００１８】【００２３】【００２４】段落参照。）ように通常行われていることであり、当該バランスウェイト部材の重さを具体的にどの程度とするかは、当業者が必要に応じて適宜設定し得る事項である。したがって、バランスウェイト部材の重さを、具体的に「レンズ部の重さと同等に設定」すると特定することは当業者が容易になし得たことである。 
 　 
（３）相違点３について； 
 　引用例２には、眼鏡フレームにおいて、嵌合部の凹状部及び凸状部の形状について、凸状部は、断面が矩形（四角形）、楕円形（長円形）又は多角形（五角形）に形成され、凹状部の断面は、凸状部に嵌合可能な矩形（四角形）、楕円形（長円形）又は多角形（五角形）に形成されていることが記載されている（下線部参照）。 
 　引用発明と引用例２に記載された発明は、眼鏡フレームという技術分野に属する点で共通するから、引用発明において、上記の引用例２に記載された技術を採用し、上記相違点２に係る本願補正発明の発明特定事項を得ることは、当業者が容易に想到し得たことである。 
 　 
２　本願発明が奏する作用効果 
 　そして、本願発明によってもたらされる効果は、引用発明及び引用例２ないし４に記載された技術的事項から当業者が予測し得る程度のものである。 
 　 
３　まとめ 
 　したがって、本願発明は、引用発明及び引用例２ないし４に記載された技術的事項に基いて当業者が容易に発明をすることができたものである。  
　
第５　むすび
　以上より、本願発明は、引用発明及び引用例２ないし４に記載された技術的事項に基いて当業者が容易に発明をすることができたものであるから、特許法第２９条第２項の規定により特許を受けることができない。
　
　よって、結論のとおり審決する。